(57)【特許請求の範囲】
【請求項１】
液体（Ｐ）を収容することができるキャビティ（１３、２３、３３、４３、６９、７３、８３）を画定する壁（１２、２２、３２、４２、５２、６２、７２、８２、９９、１００）を備え、前記キャビティの一端が、液体供給の目的で１つの開口部を介して外部に開口したアプリケータであって、
少なくとも前記開口部の付近において、キャビティ内部に保持要素（１６、２６、３６、４６、５６、６６、７６、８６、９６）を備え、前記壁と前記保持要素の間の毛細管によって前記液体（Ｐ）を保持することが可能なことを特徴とするアプリケータ。
【請求項２】
前記壁の頂部付近で、孔（１４）が少なくとも一つ貫通することを特徴とする請求項１に記載のアプリケータ。
【請求項３】
前記保持要素（７６）が、供給目的で使用される前記開口部よりも後方に配置することを特徴とする請求項１または２に記載のアプリケータ。
【請求項４】
前記保持要素が、供給目的で使用される前記開口部から、0.5〜3mmの範囲内で、また好ましくは1〜2mmの範囲内で後方に配置するということを特徴とする請求項３に記載のアプリケータ。
【請求項５】
前記液体を供給するために使用される前記開口部が、前記キャビティ画定壁の軸に対して斜めにのびる平面（Ｋ）上にのびることを特徴とする請求項１〜４のいずれか一項に記載のアプリケータ。
【請求項６】
前記壁（１２）が、少なくともその高さの一部分にかけて円筒形であることを特徴とする請求項１〜５のいずれか一項に記載のアプリケータ。
【請求項７】
前記壁（１２）が、円状円筒形であることを特徴とする請求項６に記載のアプリケータ。
【請求項８】
前記壁（２２）の断面が、傾斜しているということを特徴とする請求項１〜６のいずれか一項に記載のアプリケータ。
【請求項９】
前記壁（３２、４２）の断面が、多角形であることを特徴とする請求項１〜６のいずれか一項に記載のアプリケータ。
【請求項１０】
前記保持要素（１６）が、前記壁（１２）と一体に形成されることを特徴とする請求項１〜９のいずれか一項に記載のアプリケータ。
【請求項１１】
前記保持要素（５６）が、それに取り付けられる個別の部品で構成されることを特徴とする請求項１〜９のいずれか一項に記載のアプリケータ。
【請求項１２】
前記保持要素（５６）が、スペーサ形成フィン（５７）と一体に形成されることを特徴とする請求項１〜１１のいずれか一項に記載のアプリケータ。
【請求項１３】
前記保持要素（５６）が、前記壁（５２）内部の摩擦によって前記保持要素を保持するべく作用する、前記スペーサ形成フィン（５７）と一体に形成されることを特徴とする請求項１２に記載のアプリケータ。
【請求項１４】
前記壁と前記内部要素との少なくとも一つが、フロック加工のコーティング（８０）によって、覆われていることを特徴とする請求項１〜１３のいずれか一項に記載のアプリケータ。
【請求項１５】
前記壁が、ハンドル（６）と接続したロッド（５）に固定されることを特徴とする請求項１〜１４のいずれか一項に記載のアプリケータ。
【請求項１６】
前記ロッドが、前記ハンドルと一体に形成されていることを特徴とする請求項１５に記載のアプリケータ。
【請求項１７】
前記ロッド（５）が、前記壁（１２）と一体に形成されることを特徴とする請求項１５または１６に記載のアプリケータ。
【請求項１８】
前記保持要素が、前記ロッドと一体に形成されることを特徴とする、請求項１１を除いた請求項１５〜１７のいずれか一項に記載のアプリケータ。
【請求項１９】
前記ロッド（５）が、供給する前記液体を内容した容器（２）を密封方法により閉鎖するのに適したキャップ（６）に、固定されることを特徴とする請求項１５〜１８のいずれか一項に記載のアプリケータ。
【請求項２０】
前記ロッド（５）の硬度が、前記アプリケータの液体供給目的で使用される部分（４）の硬度よりも低いか、または同等であることを特徴とする請求項１５〜１９のいずれか一項に記載のアプリケータ。
【請求項２１】
前記ロッド（５）の直径が、前記アプリケータの液体供給目的で使用される部分（４）の直径よりも小さいか、または同等であることを特徴とする請求項１５〜２０のいずれかに一項に記載のアプリケータ。
【請求項２２】
前記保持要素が、前記ロッドに対してゼロ以外の角度を形成することを特徴とする請求項１５〜２１のいずれか一項に記載のアプリケータ。
【請求項２３】
前記保持要素が前記壁に固定されて、調整できるようになっていることを特徴とする請求項１〜２２のいずれか一項に記載のアプリケータ。
【請求項２４】
前記保持要素と前記壁が、異なる材料から成ることを特徴とする請求項１〜２３のいずれか一項に記載のアプリケータ。
【請求項２５】
前記保持要素と前記壁が、液体の供給目的で使用される前記開口部に向かって収束した角度を形成することを特徴とする請求項１〜２４のいずれか一項に記載のアプリケータ。
【請求項２６】
前記壁が、液体の供給目的で使用される前記開口部に向かって広がっていることを特徴とする請求項１〜２５のいずれか一項に記載のアプリケータ。
【請求項２７】
請求項１〜２６のいずれか一項に定義されたアプリケータを有することを特徴とする容器。
【請求項２８】
前記アプリケータが、前記容器から引き出される際に、前記壁の外側を払拭するため、ワイパ部材を有することを特徴とする請求項２７に記載の容器。
【請求項２９】
マニキュア、爪用のケア製品、肌用のケア製品、または液体の口紅を収容することを特徴とする請求項２８に記載の容器。
【発明の詳細な説明】
【０００１】
【発明の属する分野】
本発明は、化粧品またはケア製品を取り出すためのアプリケータに関し、また特に、しかし限定的にではなく、マニキュアを塗布するための毛細管アプリケータに関するものである。
【０００２】
【従来の技術】
米国特許明細書第2 561 252号は、液体を収容することができる液溜め部分を形成するキャビティ画定壁を備え、該キャビティが、液体の供給目的で使用する一つまたは、それ以上の開口部を介して、外部に開口したアプリケータを開示している。一実施例において、アプリケータは、爪に液体を供給するには不適当で、比較的狭く非常に長い溝形状の開口部を一つ備えている。別の実施例では、アプリケータは、液体を供給するための、平行した溝形状の開口部を複数備えている。しかし、液体の供給中に、これらの溝に別個の液滴が形成されるためアプリケータが正確でなくなり、化粧品を扱うには適していない。
【０００３】
フランス国特許明細書第1 174 544号、米国特許明細書第2 029 835号、第1 999 642号には別のアプリケータが開示されている。とはいえ、これらのアプリケータも化粧品を爪に供給する点で、米国特許明細書第2 561 255号に開示されているアプリケータと同様である。
【０００４】
【発明が解決しようとする課題】
そこで本発明の課題は、正確性をもって供給を行うことが可能で、化粧品またはケア製品を良好な状態で供給するのに十分で、長い期間において使用できる新規のアプリケータを提供することである。
【０００５】
【課題を解決するための手段】
本発明のアプリケータが、液体を収容することができるキャビティ画定壁を備えたアプリケータであって、前記キャビティの一端が、液体供給の目的で一つの開口部を介して外部に開口しており、前記アプリケータが、少なくとも前記開口部の付近において、キャビティ内部に保持要素を備え、前記壁と前記保持要素の間の毛細管によって、前記液体を保持することができる。
【０００６】
本発明のある好ましい実施例では、該壁の頂部付近で孔が一つ貫通している。
【０００７】
本発明の手段により、正確な供給を行うことが可能で、特に爪に液体を供給するのに適した形状を呈する開口部が一つ備えられる。
【０００８】
保持要素を設けることで、不使用時に液体がキャビティから溢れ出す心配のない比較的大きな、供給目的のために機能する開口部を一つ備えることが可能になる。
【０００９】
また、アプリケータを、再充填するまでの間、十分に長い時間使用できるように、キャビティの内容量を比較的大きくすることも可能である。
【００１０】
保持要素は、実質的にキャビティの全長にかけてのびているため有益である。
【００１１】
ある特定の実施例において、保持要素は、供給目的で使用される開口部から好ましくは0.5〜3（mm）の範囲内、より好ましくは1〜2（mm）の範囲内の距離で後方に配置している。
【００１２】
この配置によって、保持要素と液体を滴下する表面とが直接接触することを防止できる。このような接触は、液体の一定な供給を妨げるものである。
【００１３】
液体を供給するための開口部は、キャビティ画定壁の軸に対して傾斜する平面上にのびており、好ましくは液体の爪への供給を容易にする。
【００１４】
上述の壁は、その高さのわずかな部分においてだけ、円筒形でもよい。
【００１５】
特に、液体の性質およびその目的によって、壁を円形の円筒形、またはその断面を細長い形状、豆形、多角形にすることができる。
【００１６】
例えばプラスチック材料を射出成形することにより、保持要素をキャビティ画定壁と一体に形成することが可能である。
【００１７】
さらに、保持要素を個別の部品として設け、壁に取り付けることもできる。
【００１８】
保持要素は一体に形成することも可能であり、その他の組み立て要素は、キャビティ画定壁内の摩擦によって、保持することが可能である。
【００１９】
少なくとも一つのキャビティ画定壁と保持要素を、フロック加工のコーティングで覆うことができる。この場合、コーティングがアプリケータに保持される液体の量を増やすべく、および/またはその流量を制御するべく、あるいは液体の供給をより一定にし、処置面とのあらゆる接触をより柔軟にするべく作用する。
【００２０】
キャビティ画定壁は、ハンドルと接続したロッドに固定されていることが好ましい。
【００２１】
ロッドを上述の壁、および/またはハンドルと一体に形成することが可能である。
【００２２】
ロッドは、供給する液体を内容した容器を密封方法で閉鎖するのに適したキャップに固定されているので有利である。
【００２３】
保持要素を、上述のロッドと一体に形成することができる。
【００２４】
ある特定の実施例では、ロッドの硬度は、アプリケータの液体供給の目的で使用される部分の硬度よりも低いか、または同等である。
【００２５】
それによって、アプリケータの液体供給の目的で使用される部分が、処置対象面と接触する際に、アプリケータを確実に柔軟にすることができる。
【００２６】
ある特定の実施例では、ロッドの直径は、アプリケータの液体供給の目的で使用される部分の直径よりも小さいか、または同等である。
【００２７】
それによって、アプリケータに柔軟性を与えることが可能になる。
【００２８】
保持要素は、ロッドに対してゼロでない角度でのびることが可能であり、それによって、アプリケータを人間工学的に使用することができる。
【００２９】
保持要素をキャビティ画定壁に調整可能な形で固定できるため、必要に応じて、液体を排出する経路を変形することができる。
【００３０】
また、保持要素とキャビティ画定壁を異なる材料で製造することも可能である。
【００３１】
保持要素とキャビティ画定壁は、液体の供給目的で使用される開口部に向かって収束した角度を形成することができるので、より尖った部分を画定でき、これによりさらに正確な液体の供給が可能になる。
【００３２】
例えば、液体供給の目的で使用される開口部において形成される液滴の特性を変更する目的で、キャビティ画定壁が、この開口部の付近において広がってもよい。
【００３３】
さらに本発明は、上述で定義された通りのアプリケータを備えた容器を提供する。
【００３４】
この容器は、アプリケータが容器から引き出される際に、容器を形成する壁の外側を払拭するためのワイパ部材を備えていてよく、また例証の方法により、マニキュア、爪用のケア製品、肌用のケア製品、または液体の口紅を収容することが可能である。
【００３５】
本発明は、限定されるものではないが、以下に述べる実施例の詳細な説明を読解し、添付図面を参照することでより明確に理解されるであろう。
【００３６】
【実施例】
図１は、軸Ｘを持つ容器２と、塗付要素４を具備するアプリケータ３とを備えた装置１とを示しており、アプリケータ３は、容器２を閉鎖するキャップとしても機能するハンドル６に、ロッド５の手段によって接続している。
【００３７】
容器２はネジ切りネック７を備え、閉鎖キャップ６はネック７にネジ回すように配置された組立スカート８を備えている。
【００３８】
ロッド５の頂部は組立部分９を介してキャップ６に固定されている。組立部分９は、組立スカート８内で摩擦嵌合して係合する形状になっており、ネック７に対して密封方法で押圧される密封リップ１０を備えている。
【００３９】
容器２は液体Ｐ、例えばマニキュア液が充填されている。
【００４０】
図２に、塗付要素４を拡大した図を示す。
【００４１】
塗付要素４は、液体Ｐの収容が可能な液溜め形成キャビティ１３を画定する管状壁１２を軸Ｘ周囲に備えており、さらに、管状壁１２の頂部付近には放射状に孔１４が開いている。
【００４２】
塗付要素４はさらに、この例では軸Ｘに沿ってのびる保持要素１６を備えている。
【００４３】
この場合、保持要素１６の断面は図３に示すように円形である。
【００４４】
管状壁１２は、横壁１７によってロッド５と接続している。
【００４５】
保持要素１６の頂端部は前記横壁１７と接続している。
【００４６】
管状壁１２の底縁１８は平面Ｋに対して接線方向にあり、平面Ｋは容器２の軸Ｘに対して斜めにのび、開口部１９を画定している。
【００４７】
ここで示す例では、保持要素１６は、図２に示すように平面Ｋと同一平面を成す斜角底端部２０を備えている。
【００４８】
保持要素１６は、周りに形成された管状壁１２内部にある適切な細い環状隙間内の毛細管によって液体Ｐを保持するべく機能する。ここで、液体Ｐの液滴Ｇが開口部１９から落下することで、液体Ｐを処理対象面に供給することができる。
【００４９】
当然のことながら塗付要素の形状は、本発明の範囲内で、これ以外の形状であってよい。
【００５０】
図４は、管状壁２２を備えた塗付要素を例証の方法によって示し、ここで、管状壁２２は断面が横長で、中央に保持要素２６を具備しており、保持要素２６と管状壁２２によって、供給する液体の性質を相関要素として、選択された実質的に一定幅の環状隙間２３が形成されているため、液体が管状壁２２と保持要素２６の間の表面張力によって保持される。
【００５１】
図５は、断面が多角形、特に、図示した例では三角形の管状壁２２を備えた塗付要素を示している。
【００５２】
保持要素３６は、管状壁２の輪郭と実質的且つ幾何学的に類似した輪郭を呈する。
【００５３】
液体は、管状壁３２と保持要素３６間の毛細管によって、十分に幅の狭い隙間３３内に保持される。
【００５４】
図６は、断面が多角形の管状壁４２を備え、また、毛細管によって液体を管状壁内に保持するために、管状壁４２により形成されたキャビティ４３内に保持要素４６を備えた塗付要素を示す。
【００５５】
図１２の実施例では、管状壁８２の断面は豆形であり、保持要素８６の断面は湾曲しており、管状壁８２と保持要素８６が共働して実質的に一定幅の隙間８３を形成する。
【００５６】
図７に示す実施例では、管状壁５２の断面は上述した管状壁１２と同様の円形であり、保持要素５６は個別の部品であって管状壁１２に取り付けられている。
【００５７】
図８にこの個別部品５６のみを示す。保持要素５６の頂部には、保持要素５６を管状壁５２の内側に対して支え、保持するための端部フィン５７が設けられている。
【００５８】
フィン５７は保持要素５６と一体に形成されている。
【００５９】
全ての場合において、塗付要素はその底端部に、液体の一滴を形成するのに適した開口部を備えている。
【００６０】
保持要素５６は、管状壁５２内部に調整可能な方法で固定することができる。つまり、保持要素を管状壁内に、より大きなまたは小さな範囲で押入れられ得る。これにより、液体を滴下するために、使用する開口部からより大きなまたは小さな範囲で後方に配置される、自由端を有し、この範囲は、例えば滴下する液体の性質の役割に関して決定される。
【００６１】
図９では、塗付要素は、断面が円形の管状壁６２と、材料のブリッジ６７によって管状壁６２と接続した保持要素６６とを備えており、該ブリッジは放射状にのび、射出成形によって管状壁６２および保持要素６６と一体に形成されている。
【００６２】
材料のブリッジ６７は、塗付要素の底端部にまでのびており、この場合、液体を滴下するための開口部６９の形状は、材料のブリッジ６７によって遮断された環状である。
【００６３】
図１の装置１の使用方法を以下に示す。
【００６４】
液体の供給を行うには、使用者はキャップ６を回し開け、容器２から塗付要素４を取り出す。
【００６５】
孔１４があるために、保持要素１６と管状壁１２の間に形成されたキャビティ１３は液体で充填される。
【００６６】
保持要素１６のために、内部に具備された毛細管によって壁１２内に液体が保持され、塗付要素４の底端部に液体Ｐの滴Ｇが形成される。
【００６７】
使用者が塗付要素４を、例えば図１０に示すように爪Ｏのような処置対象面付近に持っていくと、塗付要素４を爪Ｏと接触させることなく、液滴Ｇが爪と接触することができるため、筋模様を付けずに液体を滴下することが可能であり、これは、例えばブラシで構成された、爪と接触する従来のアプリケータと比較して利点となる。
【００６８】
本発明のアプリケーション要素は、保持要素上、または液溜め部分を形成する壁上、あるいはこの両方に粉末状の毛を設けることができる。
【００６９】
図１１は、管状壁７２と、隙間７３を維持するため管状壁と共働する保持要素７６とを備えた塗付要素の底部を一例として示しており、毛細管によって液体を保持することができる。
【００７０】
管状壁７２の底端部は、フロック加工のコーティング８０で覆われている。
【００７１】
図１１に示すように、保持要素７６の底端部７９を、液体を供給するための開口部の平面Ｋから若干後方に配置させることが可能であることがわかる。
【００７２】
また、図１３に示すように、保持要素と液溜め部分形成壁を、ロッドの端部に形成されたハウジング内に収容することができる。
【００７３】
この図において、保持要素９６は頂部９６ａを備え、この部分がロッド９８の底端部に形成されたハウジング９７内に挿入されており、ロッド９８は、上述したキャップ６のような閉鎖キャップと接続している。
【００７４】
図に示すように、保持要素９６を包囲する壁９９の底部付近を、フロック加工のコーティングで覆うことが可能である。
【００７５】
図１４に示すように、リング１００内に液溜め部分形成壁を挿入し、リングの底端部１００ａが下方に突出を形成するようにしてもよい。
【００７６】
リング１００は、保持要素および液溜め部分形成壁とは異なる材料、例えばより柔軟な材料から構成されてもよい。
【００７７】
液溜め部分形成壁とロッドは、図１５〜図１９に示すように様々な形で接続することができる。
【００７８】
従って、図１５に示すように、液体を内容するキャビティ画定壁を、ロッドに対し鈍角ｉを成してロッドと接続することができる。
【００７９】
あるいは図１６に示すように、液溜め部分形成壁を、鋭角ｊを成してロッドと接続してもよい。
【００８０】
液溜め部分形成壁をロッドに接続することによって、液体を内容するキャビティの端部の形状を変化させることができる。この端部の形状は、液体をキャビティ内に保持する方法に影響を及ぼす。
【００８１】
さらに、図１７に示されているように、液溜め部分形成壁と保持要素も、ロッドの軸と同じ角度の方向にのびることができる。
【００８２】
この角度は、処理対象となる範囲を相関要素として、また、どのようにアプリケータを使用するかを相関要素として、選択することができる。
【００８３】
図１８に示すように、液溜め部分形成キャビティに、液体を供給するための開口部に向かって広がる内部部分を設けることができる。
【００８４】
または、キャビティの内部部分を開口部に向かって先細りさせして、必要に応じて液体の供給をより正確に行えるようにしてもよい。
【００８５】
図１９に示すように、液溜め部分形成壁と保持要素を、湾曲した軸に沿ってのばすこともできる。
【００８６】
この図では、保持要素とキャビティ画定壁は、ロッドのすぐ近くの位置にあり、つまり、実質的にロッドの軸と平行している。
【００８７】
さらに図２０に示すように、液体を供給するための開口部を包囲する外向きの縁を、液溜め部分形成壁に備えることができる。
【００８８】
また図２１に示すように、この縁を内側と外側の両方に向かって延長したり、図２２に示すように内側のみに延長してもよい。
【００８９】
一般に、液体を内容するキャビティ画定壁の形状と、保持要素の形状は、流動学的に液体を相関要素として、また、使用する材料の相関要素として、さらに、上述の壁と保持要素の間に形成する隙間を相関要素として、選択されるべきである。
【００９０】
アプリケータを液体に沈めた際に、キャビティ内に液体を浸入させる孔の形状と数は、液体の性質を相関要素として、選択されるべきである。
【００９１】
例えば、処理対象面との柔軟な接触を提供する目的で、液溜め部分形成壁の柔軟性を、塗付要素の柔軟性と違ったものにすることが可能である。
【００９２】
液溜め部分形成壁と保持要素は、例えばPE、PP、PA、PET、PC、PVC、EVAのようなプラスチック材料から製造してもよく、また、エラストマ材料、任意で熱プラスチックエラストマ材料から製造してもよい。
【００９３】
液溜め部分形成壁と保持要素を成形によって一体形成しない場合には、熱密封、クリンピング、固定、スナップ固定、接着剤の方法で、保持要素を液溜め部分形成壁内に組み込むことができる。
【００９４】
当然のことながら、本発明は上記の実施例に限定されるものではない。
【００９５】
特に、本発明の範囲内で、塗付要素の形状をさらに変更することが可能である。
【００９６】
【発明の効果】
保持要素のために比較的多量の液体を、アプリケータ内に保持することができるので、使用時にアプリケータを頻繁に容器内に戻す手間が省ける。また、保持要素と液体を滴下する表面とが、直接接触することが防止されるため、筋模様を付けることなく、液体を供給対象面に供給することができるので、マニキュアを塗布する場合に美しく仕上げることが可能である。
【図面の簡単な説明】
【図１】本発明の第一実施例を構成する装置の概略的な軸断面図。
【図２】図１の実施詳細図。
【図３】図２の矢印IIIから見た図。
【図４】図３と類似で、塗付要素の別形状を示した図。
【図５】図３と類似で、塗付要素の別形状を示した図。
【図６】図３と類似で、塗付要素の別形状を示した図。
【図７】図３と類似で、塗付要素の別形状を示した図。
【図８】保持要素自体を示した図。
【図９】図３と類似で、塗付要素の別形状を示した図。
【図１０】マニキュアを付けるために使用されるアプリケータ。
【図１１】毛細管を備えた塗付要素を示す断片的な軸線方向断面図。
【図１２】図３と類似で、別形状の塗付要素。
【図１３】本発明のアプリケータの変形例を示す、概略的且つ断片的な軸断面図。
【図１４】本発明の別の実施例を示す、描写的且つ断片的な軸線方向の断面図である。
【図１５】液体を供給するべく機能する部分の一形態。
【図１６】液体を供給するべく機能する部分の一形態。
【図１７】液体を供給するべく機能する部分の一形態。
【図１８】液体を供給するべく機能する部分の一形態。
【図１９】液体を供給するべく機能する部分の一形態。
【図２０】液体を供給するべく機能する部分の一形態。
【図２１】液体を供給するべく機能する部分の一形態。
【図２２】液体を供給するべく機能する部分の一形態。
【符号の説明】
１    装置
２    容器
３    アプリケータ
４    塗付要素
５    ロッド
６    閉鎖キャップ
７    ネック
８    組立スカート
１０  密封リップ
１２、２２、３２、４２、５２、６２、７２、８２、９９、１００  管状壁
１３、２３、３３、４３、６９、７３、８３  キャビティ
１４  孔
１６、２６、３６、４６、５６、６６、７６、８６、９６  保持手段
１７  横壁
１８  底縁
２０  斜角底端部
２３  管状隙間
３３、７３、８３  隙間
５７  フィン
６７  材料のブリッジ
７９  保持要素の底端部
８０  フロック加工のコーティング
９６ａ頂部
９７  ハウジング
９８  ロッド
１００ａ底端部
Ｇ    液滴
ｉ    鈍角
ｊ    鋭角
Ｋ    平面
Ｏ    爪
Ｐ    液体
Ｘ    軸
【図１】
0003774653.tif 000002
【図２】
0003774653.tif 000003
【図３】
0003774653.tif 000004
【図４】
0003774653.tif 000005
【図５】
0003774653.tif 000006
【図６】
0003774653.tif 000007
【図７】
0003774653.tif 000008
【図８】
0003774653.tif 000009
【図９】
0003774653.tif 000010
【図１０】
0003774653.tif 000011
【図１１】
0003774653.tif 000012
【図１２】
0003774653.tif 000013
【図１３】
0003774653.tif 000014
【図１４】
0003774653.tif 000015
【図１５】
0003774653.tif 000016
【図１６】
0003774653.tif 000017
【図１７】
0003774653.tif 000018
【図１８】
0003774653.tif 000019
【図１９】
0003774653.tif 000020
【図２０】
0003774653.tif 000021
【図２１】
0003774653.tif 000022
【図２２】
0003774653.tif 000023